(57)【要約】【課題】予期せぬ動作時に電池を外すといった一般的な使用者からすれば抵抗感が強い対応をせずとも携帯電話端末を初期状態に戻し、電話機能や付加機能を回復できる携帯電話端末を提供する。【解決手段】リセットボタン３１を介して電話回路部１と電源部２とを接続する。これにより、予期せぬ動作時に、リセットボタン３１を押下することにより電池を外すといった一般的な使用者からすれば抵抗感が強い対応をせずとも携帯電話端末を初期状態に戻し、電話機能やエンターテイメント的な機能を回復させることが可能となる。【選択図】　図１
2004064291.tif 000002
【特許請求の範囲】
【請求項１】
手動操作によって接点が開閉し、携帯電話端末の電話回路部とこの電話回路部に電源を供給する電源部との間の電源路の開閉を行うリセットボタンを備えることを特徴とする携帯電話端末。
【請求項２】
リセットボタンと、前記リセットボタンが一定時間継続して操作されると一時的に前記電話回路部と前記電源部との間の電源路の開閉を行うリセット手段と、を備えることを特徴とする携帯電話端末。
【請求項３】
リセットボタンと、前記リセットボタンが一定時間継続して操作されると携帯電話端末の電話回路部を構成する制御部に押下検出信号を入力するリセット検出手段とを備え、
前記制御部は、前記リセット検出手段より押下検出信号が入力されると初期状態に復帰することを特徴とする携帯電話端末。
【請求項４】
前記リセット検出手段は、押下検出信号をプライオリティの高い割り込み信号として前記制御部に入力することを特徴とする請求項３に記載の携帯電話端末。
【発明の詳細な説明】
【０００１】
【発明の属する技術分野】
本発明は、電源に電池を使用し通信機能を有する携帯電話端末に関する。
【０００２】
【従来の技術】
周知の如く、携帯電話端末は、無線基地局及び交換局を介して電話の相手と通信又は通話できるものである。
【０００３】
図４は、従来の携帯電話端末の構成を示すブロック図である。この図において、ＲＦ（高周波）部１５１は、アンテナ１６１を介して無線基地局との間で無線電波によって通信（通話）を行うため、無線基地局に通信用電波を送る送信機能と、無線基地局から通信用電波を受ける受信機能とを備えている。そして、受信機能で受けた通信用信号は音声信号に復調された後、音声部１５２に送られてスピーカ等の受話器１７１から音声出力される。
【０００４】
一方、マイクロフォン等の送話器１７２からは電気信号に変換された音声が音声部１５２を介してＲＦ部１５１に送られる。この電気信号はＲＦ部１５１からアンテナ１６１を介して通信用電波で無線基地局に送られる。
【０００５】
入力部１５３は、発呼（発信）時に呼び出し番号をキー入力により制御部１５４に入力するものである。また、入力部１５３は短縮ダイアルの入力や留守番電話機能の活性化など種々の制御入力やアドレス等も入力する。これら入力信号は制御部１５４に送られる。制御部１５４は、マイクロプロセッサ（ＣＰＵ）とランダムアクセスメモリ（ＲＡＭ）等の記憶部を含み、この携帯電話端末の発着信制御や表示部１５５、時計部１５６の制御、入力情報の記憶あるいは所定の演算等を行う。また、制御部１５４に接続される表示部１５５は予め定められたメッセージやこの携帯電話端末の保守情報等を表示する。時計部１５６は現在時刻の情報を持っており、この時刻情報は制御部１５４に送られ、待機時等に表示部１５５に表示される。
【０００６】
上記は基本的な電話機能を実現する一般的な構成事例であるが、その一方で、例えば特開２００１−５３８４１号公報で開示されているバイオリズム表示機能付き携帯電話端末のように、市場からは電話機能以外の付加機能を求める声が強くなっている。
【０００７】
ところで、付加機能の実現をするためには、制御部１５４を中心に各部で様々な処理を実現させねばならず、時として設計通りに機能を実現できないことがある。結果として付加機能の停止、更には制御部１５４の動作停止、また更には基本的な電話機能も停止してしまうことがある（以後、これらを称して予期せぬ動作時とする）。このとき現行の大部分の無線通信端末は電源のオン・オフ動作も制御部１５４を介して行う構造となっており、制御部１５４が停止している状態においては電源をオフにすることもできなくなることがある。
【０００８】
このような場合、電話機能を回復させるためには携帯電話端末を初期状態に戻すことが必要で、強制的に電源をオフにすること、つまり電池２２１を外す等、電話回路部１００と電源部２００との接続を遮断することが緊急処置的に行われている。
【０００９】
【発明が解決しようとする課題】
しかしながら、上述したような電池を外すといった行為は、上記の一般的な携帯電話端末の構成事例においてはイレギュラーな対応であり、一般的な使用者からすれば抵抗感が強いという問題がある。
【００１０】
本発明は、上記事情に鑑みてなされたもので、その目的は、予期せぬ動作時に電池を外すといった一般的な使用者からすれば抵抗感が強い対応をせずとも携帯電話端末を初期状態に戻し、電話機能や付加機能を回復させることができる携帯電話端末を提供することにある。
【００１１】
【課題を解決するための手段】
本発明の携帯電話端末は、手動操作によって接点が開閉し、携帯電話端末の電話回路部とこの電話回路部に電源を供給する電源部との間の電源路の開閉を行うリセットボタンを備えることを特徴とする。
【００１２】
この構成によれば、予期せぬ動作時にリセットボタンを押下することにより電源を遮断し、リセットボタンから手を離したとき再度電源と接続されることにより、結果的に初期状態に復帰するので、電池を外すといった一般的な使用者からすれば抵抗感が強い対応をせずとも携帯電話端末を初期状態に戻し、電話機能やエンターテイメント的な機能を回復させることが可能となる。
【００１３】
本発明の携帯電話端末は、リセットボタンと、前記リセットボタンが一定時間継続して操作されると一時的に前記電話回路部と前記電源部との間の電源路の開閉を行うリセット手段と、を備えることを特徴とする。
【００１４】
この構成によれば、予期せぬ動作時にリセットボタンを一定時間継続して操作することにより、一時的に電源が遮断されて結果的に初期状態に復帰するので、電池を外すといった一般的な使用者からすれば抵抗感が強い対応をせずとも携帯電話端末を初期状態に戻し、電話機能やエンターテイメント的な機能を回復させることが可能となる。また、リセットボタンを一定時間継続して操作することで携帯電話端末が初期状態に戻るので、リセットスイッチを携帯電話端末が有する他の操作ボタンと兼用することができる。
【００１５】
本発明の携帯電話端末は、リセットボタンと、前記リセットボタンが一定時間継続して操作されると携帯電話端末の電話回路部を構成する制御部に押下検出信号を入力するリセット検出手段とを備え、前記制御部は、前記リセット検出手段より押下検出信号が入力されると初期状態に復帰することを特徴とする。
【００１６】
この構成によれば、予期せぬ動作時にリセットボタンを一定時間継続して操作することにより、携帯電話端末の電話回路部を構成する制御部に押下検出信号を供給し、制御部はこれによって初期状態に復帰するので、電池を外すといった一般的な使用者からすれば抵抗感が強い対応をせずとも携帯電話端末を初期状態に戻し、電話機能やエンターテイメント的な機能を回復させることが可能となる。
【００１７】
また、上記の携帯電話端末において、前記リセット検出手段は、押下検出信号をプライオリティの高い割り込み信号として前記制御部に入力することを特徴とする。
【００１８】
この構成によれば、予期せぬ動作時には制御部が停止しているような場合も考えられるが、リセットボタンの押下検出信号をプライオリティの高い割り込み信号として初期化動作を最優先することにより、回避可能となる。
【００１９】
【発明の実施の形態】
以下、図面を参照して本発明の実施形態を説明する。
（第１実施形態）
図１は、本発明の第１実施形態に係る携帯電話端末の構成を示すブロック図である。
【００２０】
図１において、本実施形態の携帯電話端末は、電話回路部１と電源部２とを有して構成される。電話回路部１は、アンテナ１１１を介して無線基地局との間で無線電波によって通信（通話）するためのＲＦ（高周波）部１１と、スピーカ等の受話器１２１及びマイクロフォン等の送話器１２２と接続される音声部１２と、発呼（発信）時に呼び出し番号をキー入力により制御部１４に入力する入力部１３と、マイクロプロセッサ（ＣＰＵ）とランダムアクセスメモリ（ＲＡＭ）等の記憶部を含み、この携帯電話端末の発着信制御や表示部１５と時計部１６の制御、上記入力情報の記憶あるいは所定の演算等を行う制御部１４とを有して構成される。
【００２１】
電源部２は、電話回路部１へ電力を供給するもので、電池２１等を有している。この電源部２と電話回路部１とはリセットボタン３１を介して接続される。
【００２２】
以上のように構成された携帯電話端末において、その動作について説明する。まず、リセットボタン３１を閉じた場合（押下していない場合）は、従来の技術で説明した周知の携帯電話端末と同等の構成となり、従来の携帯電話端末と同等の機能が得られる。次に、リセットボタン３１を開いた場合（押下した場合）は、電話回路部１と電源部２の接続が切断されるため、電話回路部１に電力が供給されず、電話回路部１は全ての動作を停止する。
【００２３】
そして、この状態でリセットボタン３１の押下を止めると、従来の携帯電話端末において最初に電話回路部１と電源部２が接続された状態と同等となり、初期状態になる。つまり、リセットボタン３１を押下した後、そこから手を離したときに結果として携帯電話端末が初期化される。
【００２４】
このように、本実施形態の携帯電話端末によれば、リセットボタン３１を介して電話回路部１と電源部２を接続することにより、予期せぬ動作時にリセットボタン３１を押下することにより電源を遮断し、リセットボタン３１から手を離したとき再度電源と接続されることにより、結果的に初期状態に復帰するようになる。このため、電池を外すといった一般的な使用者からすれば抵抗感が強い対応をせずとも携帯電話端末を初期状態に戻し、電話機能やエンターテイメント的な機能を回復させることが可能となる。
【００２５】
（第２実施形態）
図２は、本発明の第２実施形態に係る携帯電話端末の構成を示すブロック図である。
【００２６】
上述した第１実施形態の携帯電話端末との相違点は、電話回路部１と電源部２を、リセットボタン３１を介して接続するのではなく、リセットボタン３２とタイマ３３と電子スイッチ３４とから成るリセット部３を介して接続する点である。
【００２７】
以上のように構成された携帯電話端末について、ここではリセット部３の動作について説明する。
【００２８】
タイマ３３は、リセットボタン３２が一定時間以上連続して押下されたかどうかを検知する機能を有するとともに、一定時間以上の押下を検知したときに電源遮断用パルス（例えば１秒間）を生成する機能を有する。電子スイッチ３４は、タイマ３３から電源遮断用パルスが来ている間、電流の流れを遮断する機能を有する。リセットボタン３２は、押下すると閉じるタイプのもので、電源部２のプラス極性側に接続されている。なお、リセットボタン３２としては、タイマ３３が押下を検知できるのであれば、押下したときに開くタイプでも電源部２のマイナス側に接続されていても構わない。
【００２９】
リセット部３は、リセットボタン３２が押下されていないときには、タイマ３３が電子スイッチ３４に対し信号を送ることはなく、電子スイッチ３４は導通状態となり、図１で言えばリセットボタン３１を押下していない時と同等の状態となる。
【００３０】
リセット部３は、リセットボタン３２が一定時間以上（例えば１秒以上）押下された場合、タイマ３３はリセットボタンの連続押下を検知し、電源遮断用パルスを生成する。電子スイッチ３４は電源遮断用パルスが来ている間、電流の流れを遮断するため、図１で言えばリセットボタン３１を押下している時と同等の状態となる。
【００３１】
以上のようなリセット部３の動作により、まず、リセットボタン３２が押下されていない場合は、従来の技術で説明した周知の携帯電話端末と同等の構成となり、従来の携帯電話末端末と同等の機能が得られる。次に、リセットボタン３２を一定時間以上押下した場合、電源遮断用パルス（例えば１秒間）が出力されている間、電話回路部１と電源部２の接続が切断されるため、電話回路部１に電力が供給されず、全ての動作を停止する。そして、電源遮断用パルスが終了すると従来の携帯電話端末において最初に電話回路部１と電源部２が接続された状態と同等となり、結果として携帯電話が初期化される。
【００３２】
このように、本実施形態の携帯電話装置によれば、電話回路部１と電源部２とをリセット部３を介して接続し、予期せぬ動作時にリセットボタン３２を一定時間以上押下することにより、一時的に電源が遮断されて結果的に初期状態に復帰するようになる。このため、電池を外すといった一般的な使用者からすれば抵抗感が強い対応をせずとも携帯電話端末を初期状態に戻し、電話機能やエンターテイメント的な機能を回復させることが可能となる。
【００３３】
なお、ここまでの説明ではリセットボタン３２を独立したボタンと考えているが、タイマ３３のリセットボタン３２の押下検出時間を適切な時間（例えば２秒間）に設定すれば、例えば数字の「０」ボタンなどと兼用しても何ら問題は発生しない。したがって、リセットボタンを一定時間継続して操作することで携帯電話端末が初期状態に戻るので、リセットスイッチを携帯電話端末が有する他の操作ボタンと兼用することができる。これにより、必要なボタン数を少なくできる。
【００３４】
（第３実施形態）
図３は、本発明の第３実施形態に係る携帯電話端末の構成を示すブロック図である。
【００３５】
上述した第２実施形態の携帯電話端末との相違点は、電話回路部１と電源部２を、リセット部３を介して接続するのではなく、リセットボタン３２とタイマ３３とから成るリセット検出部４を介して接続する点である。このリセット検出部４からは制御部１４に検出信号が入力される。
【００３６】
以上のように構成された携帯電話端末について、ここではリセット検出部４の動作について説明する。
【００３７】
タイマ３３は、リセットボタン３２が一定時間以上連続して押下されたかどうかを検知する機能と、一定時間以上の押下を検知したときにそれを電話回路部１内の制御部１４に伝えるための信号を生成する。以上がリセット検出部４の動作である。
【００３８】
次に、制御部１４の機能について説明する。公知のように現行の大部分の携帯電話端末は、電源のオン・オフ動作も制御部１４を介して行う構成を採っており、また、電源投入時の初期リセット動作も制御部１４が制御を行っている。したがって、現行の大部分の携帯電話端末にはリセット機能すなわち初期状態に復帰する機能を有している。
【００３９】
以上のようなリセット検出部４の動作、制御部１４の機能により、まずリセットボタン３２が押下されていないときは、従来の技術で説明した周知の携帯電話端末と同等の構成となり、従来の携帯電話端末と同等の機能が得られる。次に、リセットボタン３２を一定時間以上押下された場合、タイマ部３３からリセットボタン３２押下を検出した信号が制御部１４に伝達される。制御部１４は、押下検出信号が伝達されると初期状態に復帰する機能が働き、携帯電話端末が初期化される。
【００４０】
予期せぬ動作時には制御部１４が停止しているような場面も考えられるが、リセットボタン３２の押下検出信号を、制御部１４を構成するマイクロプロセッサ（ＣＰＵ）等への一番プライオリティの高い割り込み信号に設定し、初期化動作を最優先することにより回避が可能である。
【００４１】
このように、本実施形態の携帯電話端末によれば、電話回路部１と電源部２とをリセット検出部４を介して接続し、更にリセット検出部４から制御部１４に検出信号を入力することにより、予期せぬ動作時にリセットボタン３２を一定時間以上継続して操作することにより、携帯電話端末の電話回路部１を構成する制御部４に押下検出信号が供給され、制御部４はこれによって初期状態に復帰するようになる。このため、電池を外すといった一般的な使用者からすれば抵抗感が強い対応をせずとも携帯電話端末を初期状態に戻し、電話機能やエンターテイメント的な機能を回復させることが可能となる。
【００４２】
また、予期せぬ動作時には制御部が停止しているような場合も考えられるが、リセットボタンの押下検出信号をプライオリティの高い割り込み信号として初期化動作を最優先することにより、制御部の停止状態を回避可能となる。
【００４３】
なお、ここまでの説明ではリセットボタン３２を独立したボタンと考えているが、第２実施形態と同様、タイマ３３のリセットボタン３２の押下検出時間を適切な時間（例えば２秒間）に設定すれば、例えば数字の「０」ボタンなどと兼用しても何ら問題は発生せず、ボタンを兼ねることにより必要なボタン数を少なくできる。
【００４４】
【発明の効果】
以上説明したように本発明によれば、予期せぬ動作時に電池を外すといった一般的な使用者からすれば抵抗感が強い対応をせずとも携帯電話端末を初期状態に戻し、電話機能や付加機能を回復させることが可能な携帯電話端末を提供できる。
【図面の簡単な説明】
【図１】本発明の第１実施形態に係る携帯電話端末の構成を示すブロック図
【図２】本発明の第２実施形態に係る携帯電話端末の構成を示すブロック図
【図３】本発明の第３実施形態に係る携帯電話端末の構成を示すブロック図
【図４】従来の携帯電話端末の構成例を示すブロック図
【符号の説明】
１　電話回路部
２　電源部
３　リセット部
４　リセット検出部
１１　ＲＦ部
１２　音声部
１３　入力部
１４　制御部
１５　表示部
１６　時計部
２１　電池
３１　リセットボタン
１１１　アンテナ
１２１　受話器
１２２　送話器
３１、３２　リセットボタン
３３　タイマ
３４　電子スイッチ
【図１】
2004064291.tif 000003
【図２】
2004064291.tif 000004
【図３】
2004064291.tif 000005
【図４】
2004064291.tif 000006